(57)【要約】【課題】分析装置のための回動可能なステージを提供する。【解決手段】回動可能なステージ（１４）は、ステータ（１６）と、ステータに熱的に接続された熱交換器（２２）と、ロータ（１８）と、ステータとロータ間に位置する軸受（２０）とを備える。この軸受により、ステータ及びロータが熱的に接続される。【選択図】図２
2021516441.tif 000002
【特許請求の範囲】
【請求項１】
分析装置のための回動可能なステージであって、前記回動可能なステージは、
ステータと、
前記ステータに熱的に接続された熱交換器と、
ロータと、
前記ステータと前記ロータとの間に位置する軸受とを備え、前記軸受により、前記ステータ及び前記ロータが熱的に接続されることを特徴とする、回動可能なステージ。
【請求項２】
前記軸受は、約１７０Ｗｍ−１Ｋ−１を超える熱伝導率を有する材料を含むことを特徴とする、請求項１記載の回動可能なステージ。
【請求項３】
前記軸受は、前記軸受と前記ステータ間で複数の接点を提供するように、そして、前記軸受と前記ロータ間で複数の接点を提供するように構成されることを特徴とする、請求項１又は２に記載の回動可能なステージ。
【請求項４】
前記軸受は、前記軸受と前記ステータ間で少なくとも１２の接点を提供するように、そして、前記軸受と前記ロータ間で少なくとも１２の接点を提供するように構成されることを特徴とする、請求項３記載の回動可能なステージ。
【請求項５】
前記軸受は、１つの連続する構成要素を備えることを特徴とする、請求項１乃至４のいずれか一項に記載の回動可能なステージ。
【請求項６】
前記軸受は、コイルバネを備えることを特徴とする、請求項１乃至５のいずれか一項に記載の回動可能なステージ。
【請求項７】
前記コイルバネは、傾斜コイルバネを備えることを特徴とする、請求項６記載の回動可能なステージ。
【請求項８】
前記軸受の材料は、銅、りん、青銅、及びＣｕＢｅ２のうち少なくとも一つを含むことを特徴とする、請求項１乃至７のいずれか一項に記載の回動可能なステージ。
【請求項９】
前記熱交換器は、冷却されたガスを受け取るように構成されるガスチューブを備えることを特徴とする、請求項１乃至８のいずれか一項に記載の回動可能なステージ。
【請求項１０】
前記熱交換器は、熱伝導性ブレードを備えることを特徴とする、請求項１乃至８のいずれか一項に記載の回動可能なステージ。
【請求項１１】
前記熱伝導性ブレードは、銅ブレードを備えることを特徴とする、請求項１０記載の回動可能なステージ。
【請求項１２】
前記熱交換器と第２の熱交換器間に熱伝導をもたらす接続を備え、
前記接続は可撓性であることを特徴とする、請求項１乃至１１のいずれか一項に記載の回動可能なステージ。
【請求項１３】
前記ステータは、温度センサを備えることを特徴とする、請求項１乃至１２のいずれか一項に記載の回動可能なステージ。
【請求項１４】
請求項１３記載の回動可能なステージであって、
前記ステータの温度を表す前記温度センサから、温度入力を受け取り、
前記温度入力から、前記ステータの温度が所定範囲内にあるかどうかを自動的に判定し、
前記ステータの温度が確実に所定範囲内となるように、前記熱交換器の温度を制御するための手段を更に備えることを特徴とする、回動可能なステージ。
【請求項１５】
前記熱交換器の温度を制御することは、前記ガスチューブを介して、冷却されたガスの流量と制御することを含むことを特徴とする、請求項９又は１４に記載の回動可能なステージ。
【請求項１６】
真空チャンバと、請求項１乃至１５のいずれか一項に記載の回動可能なステージとを備える電子顕微鏡であって、
前記真空チャンバ内に、ステータと、ロータと、軸受とが位置することを特徴とする。
【請求項１７】
請求項１６記載の電子顕微鏡であって、試料ステージを備え、
前記ステータは、断熱支持体を介して前記試料ステージに載置されることを特徴とする。
【請求項１８】
請求項１６又は１７に記載の電子顕微鏡であって、前記試料ステージに取付けられたステージ回転モジュールを備え、
前記ロータは、断熱支持体を介して前記ステージ回転モジュールに取り付けられることを特徴とする。
【請求項１９】
回動可能なステージのロータを冷却する方法であって、
ステータと、前記ステータに熱的に接続された熱交換器と、前記ロータと、前記ステータと前記ロータ間に位置する軸受とを備え、
前記回動可能なステージは、前記軸受により、前記ステータ及び前記ロータが熱的に接続され、
前記方法は、前記ステータの前記熱交換器を熱冷却することにより、熱伝導性の前記軸受を介して前記ロータを冷却するステップを含むことを特徴とする。
【請求項２０】
前記軸受は、約１７０Ｗｍ−１Ｋ−１を超える熱伝導率を有する材料を含むことを特徴とする、請求項１９記載の方法。
【請求項２１】
前記熱交換器は、ガスチューブを備え、
前記方法は、冷却されたガスを前記ガスチューブに通すステップを備えることを特徴とする、請求項１９又は２０に記載の方法。
【請求項２２】
前記ガスは、少なくとも−１７０℃まで冷却されることを特徴とする、請求項２１記載の方法。
【発明の詳細な説明】
【技術分野】
【０００１】
本発明は、顕微鏡、例えば電子顕微鏡といった分析装置のための回動可能なステージに関する。この回動可能なステージは、分析対象の試料に低温環境を提供する。
【背景技術】
【０００２】
電子顕微鏡は、試料の表面上の原子と相互作用する焦束させた電子線を使用し、試料の表面形状及び構成に関する情報を生成する。電子顕微鏡では、走査電子顕微鏡（ＳＥＭ）がよく知られている。
【０００３】
電子顕微鏡の試料を、直線的および回転的に移動させることは望ましいかもしれない。例えば回転は、多くの画像形成及び準備操作のために、電子線下で標本を正しい方向とするのに重要である。通常電子顕微鏡は、試料ホルダーを介して、試料を直接又は間接的に固定させる試料ステージを有する。試料ステージと試料との間にはモジュールを設けることもできる。例えば回転移動させるために回転モジュールを設けてもよい。試料ステージでは、直線的な移動が可能である。
【０００４】
電子顕微鏡検査法は真空下で行われる。（生物学的又は非生物学的）試料の中には、電子線の影響を受け、電子線からのダメージを制限（抑制）するために凍結を必要とするものがある。高い水分含有を有する生体試料又は試料が電子顕微鏡の真空下にさらされる場合、試料中の水分は直ちに全て蒸発を始めるので、大きな変形が生じる。この課題を解決するためには、試料を電子顕微鏡に配置する前に、急速凍結させる。それから試料は、顕微鏡での分析が行われる間、液体窒素温度（−１９６℃）にできるだけ近い状態で保たれる。
【０００５】
走査の間、試料を低温に保つために、通常コールドステージを用いる。試料はコールドステージ上に配置され、このコールドステージのおかげで試料は低温に保たれる。コールドステージは、直接または間接的に試料ステージに取り付けられる。
現在のコールドステージのデザインでは、ステージを液体窒素のリザーバに接続する銅ブレード（銅編組）を使用するか、もしくは、必要とされる温度とするために、接続されているチューブを介して低温の窒素ガスをステージへ流す。劣化を回避するために、生体試料は−１６５℃未満で保たれなければならない。ガス冷却のコールドステージを使用すると約−１９１℃までの冷却が可能であり、ブレード冷却のコールドステージを使用すると約−１７０℃までの冷却が可能となる。
【発明の概要】
【発明が解決しようとする課題】
【０００６】
コールドステージでは、試料の冷却及び回転の両方は行えないという欠点がある。これは、液体窒素リザーバがブレード（編組）及びチューブによりコールドステージに接続されているからであるが、これによりコールドステージの回転は阻まれる。コールドステージがブレード又はガスチューブにテザーされているので、回転させるとブレード又はガスチューブのせん断が生じるだろう。
【０００７】
本発明の目的は、従来技術に関する問題点を克服することである。
【課題を解決するための手段】
【０００８】
本発明の態様は、分析装置のための回動可能なステージを提供することであり、この回動可能なステージは、
ステータ（固定子）と、
ステータに熱的に接続された熱交換器と、
ロータ（回転子）と、
ステータとロータの間に位置する軸受と、を備え、この軸受により、ステータとロータが熱的に接続される。
【０００９】
軸受は、約１７０Ｗｍ−１Ｋ−１を超える熱伝導率を有する材料を含んでもよい。
【００１０】
本発明の態様は、分析装置のための回動可能なステージを提供することであり、この回動可能なステージは、
ステータと、
ステータに熱的に接続された熱交換器と、
ロータと、
ステータとロータとの間に位置する軸受とを備え、この軸受は、ステータとロータを熱的に接続させるために、約１７０Ｗｍ−１Ｋ−１を超える熱伝導率を有する材料を含む。
【００１１】
高熱伝導性の軸受を使用することによって、ロータを効率的に冷却することができる。これにより、ロータに載置される試料を低温に保つことができる。
【００１２】
軸受は、軸受とステータ間と、軸受とロータ間とでそれぞれ接点を複数提供するように構成されてもよい。接点が複数あるので、ステータとロータ間の熱的な接続が強化される。軸受は、軸受とステータ間と、軸受とロータ間とでそれぞれ少なくとも１２の接点を提供するように構成されてもよい。
一実施例では軸受は、軸受とステータ間と、軸受とロータ間とでそれぞれ少なくとも１００の接点を提供するように構成されてもよい。
【００１３】
軸受は、１つの連続する構成要素を備えてもよい。軸受はコイルバネを備えてもよい。コイルバネを使用すると、ステータと軸受の間と、ロータと軸受の間とでそれぞれ多くの接点を提供するという利点があるので、低摩擦でありながら、ステータと軸受及びロータと軸受間の効率的な熱リンクが提供される。例えば、コイルバネの各コイルは、ステータとの１つの接点と、ロータとの１つの接点を有してもよい。コイルバネは、構成部品の機械加工の変形に対する耐性が高い。コイルバネは、傾斜コイルバネを備えてもよい。傾斜コイルバネは、楕円断面を有してもよい。
【００１４】
軸受の材料は、銅、りん、青銅、及びＣｕＢｅ２のうち少なくとも１つを含んでもよい。軸受の材料は合金を含んでもよい。一実施例では、軸受の材料は銅合金を含む。
【００１５】
好適には軸受は、約４５Ｒｂ〜約９４Ｒｂのロックウェル硬度の材料を含んでもよい。
【００１６】
分析装置は、顕微鏡（例えば電子顕微鏡）であってもよい。適した分析装置としては、走査電子顕微鏡（ＳＥＭ）、集束イオンビーム機器（ＦＩＢ）（例えば集束イオンビーム走査電子顕微鏡（ＦＩＢ―ＳＥＭ））、Ｘ線ビームラインエンドステーション等がある。
【００１７】
熱交換器はガスチューブを備えてもよく、ガスチューブは冷ガスを受け取るように構成される。冷ガスは冷却され得る。すなわち、周囲温度未満に冷却され得る。冷ガスの温度は−１７０℃以下になり得る。ガスは窒素ガスを含み得る。例えば冷ガスは、周囲温度直下から−１９６℃の温度範囲で、冷却された窒素ガスを含んでもよい。
別の実施例では熱交換器は、冷却されたブレードを備えてもよい。ブレードは銅ブレード（銅編組）を備えてもよい。
【００１８】
回動可能なステージには、熱交換器と第２の熱交換器と間で熱伝導をもたらす接続部が設けられてもよい。接続部は可撓性であり得る。この可撓性接続により、電子顕微鏡に対してステータを移動させることができる。例えばステータを、直線運動（例えばＸ及びＹ）に適応する試料ステージに載置してもよい。接続は、ガスチューブ又は熱伝導性ブレードの一部を含んでもよい。
【００１９】
第２の熱交換器は、熱を除去するように構成してもよい。第２の熱交換器は液体窒素と接触していてもよい。
【００２０】
ステータは温度センサを備える。
【００２１】
回動可能なステージは、以下のための手段を備えてもよい。
ステータの温度を示す温度センサからの温度入力を受け取る。
温度入力から、ステータの温度が所定範囲内にあるかどうかを自動的に判定する。
ステータの温度が確実に所定範囲内となるように、熱交換器の温度を制御する。
【００２２】
回動可能なステージは、以下を備えてもよい。
ステータ温度データ信号を受け取るための電気的入力を有する電子処理回路。（ステータ温度データ信号は、温度センサによって自動的に生成され出力される。）
電子処理回路に電気的に結合されており、格納される指示を有する電子記憶装置。
電子処理回路は、ステータ温度データから、ステータの温度が所定範囲内にあるかどうかを判定するよう機能するように、記憶装置にアクセスし、そこに格納されている指示を実行するように構成される。
【００２３】
システムは、コントローラを備えてもよく、適切には、１つ以上の電子処理回路を有する制御装置又はコンピュータデバイスを備える。
【００２４】
熱交換器の温度制御は、ガスチューブを介して、冷ガスの流量を制御することを含んでもよい。
【００２５】
したがって、ステータで一定温度を維持するためのフィードバックループが提供される。
【００２６】
本発明の態様では、真空チャンバと、先行する請求項のいずれか一項に記載の回動可能なステージを備えた電子顕微鏡を提供することができる。そして真空チャンバ内に、ステータと、ロータと、熱伝導性のコイルバネとが位置する。
【００２７】
本発明の態様では、試料ステージを備えた電子顕微鏡が提供される。そして断熱支持体を介して、ステータが試料ステージに載置される。
【００２８】
電子顕微鏡は、ステージ回転モジュール（直接又は間接的に試料ステージに載置される）を備えてもよい。ロータは、断熱支持体を介してステージ回転モジュールに取り付けられる。
【００２９】
本発明の態様は、ステータと、ステータに熱的に接続された熱交換器と、ロータと、ステータとロータ間に位置する軸受と、を備えた回動可能なステージのロータを冷却するための方法を提供する。軸受により、ステータとロータが熱的に接続されている。
上記の方法は、ステータの熱交換器を熱冷却することにより、熱伝導性の軸受を介してロータを冷却するステップを備える。
【００３０】
軸受は、約１７０Ｗｍ−１Ｋ−１を超える熱伝導率を有する材料含んでもよい。軸受は、約１４０Ｗｍ−１Ｋ−１、約１５０Ｗｍ−１Ｋ−１、約１６０Ｗｍ−１Ｋ−１、又は約１７０Ｗｍ−１Ｋ−１を超える熱伝導率を有する材料を含んでもよい。軸受は、約１４０Ｗｍ−１Ｋ−１〜約１７０Ｗｍ−１Ｋ−１の熱伝導率を有する材料を含んでもよい。
【００３１】
本発明の態様では、ステータと、ステータに熱的に接続された熱交換器と、ロータと、ステータとロータ間に位置する軸受とを備えた回動可能なステージのロータを冷却する方法を提供する。軸受は、約１７０Ｗｍ−１Ｋ−１を超える熱伝導率を有する材料を含んでもよい。
上記の方法は、ステータの熱交換器を熱冷却することにより、熱伝導性の軸受を介してロータを冷却するステップを含む。
【００３２】
熱交換器はガスチューブを備えることができ、方法は冷ガスをガスチューブに通すステップを含むことができる。
【００３３】
ガスチューブは、少なくとも−１７０℃まで冷却されてもよい。
【００３４】
方法は、ロータを同時に冷却及び回転させるステップを備えてもよい。
【００３５】
本発明の態様では、回動可能なステージが提供され、この回動可能なステージは、
ステータと、
ステータに熱的に接続された熱交換器と、
ロータと、
ステータとロータの間に位置する軸受と、を含み、軸受によりステータとロータが熱的に接続される。
【００３６】
軸受は、約１７０Ｗｍ−１Ｋ−１を超える熱伝導率を有する材料を含んでもよい。
【００３７】
回動可能なステージは、試料の冷却及び回転両方を必要とする装置のために使用されてもよい。例えば、分析機器又は試料をコーティングするための装置である。
【００３８】
本発明の態様では、ステータと、ステータに熱的に接続された熱交換器と、ロータと、ステータとロータの間に位置する軸受と、を備えた回動可能なステージのロータを冷却するための方法が提供されてもよい。軸受により、ステータとロータが熱的に接続される。
上記方法は、ステータの熱交換器を熱冷却することにより、熱伝導性の軸受を介してロータを冷却するステップを含む。
【００３９】
本開示の明細書及び請求項全体にわたって、用語「ｃｏｍｐｒｉｓｅ（備える／含む）」及び「ｃｏｎｔａｉｎ（含む）」、そして例えば「ｃｏｍｐｒｉｓｉｎｇ」及び「ｃｏｍｐｒｉｓｅｓ」」といった変形例は、「含むが、これに限定されるものではない」ということを意味し、他の構成要素、数字、又はステップを除外しない。さらに、単数（で表されるもの）は、文脈上別段の解釈を要する場合を除き、その複数も含む。特に、不定冠詞が使用される場合、文脈上別段の解釈を要する場合を除き、本開示は単数ならびに複数も意図するとして理解されるものとする。
【００４０】
本発明それぞれの態様の好ましい特徴は、他の態様に関連して記載されてもよい。本出願の範囲内において、前パラグラフ、請求項、及び／又は続く明細書及び図面、そして特にその個々の特徴において提示されるさまざまな態様、実施例、例、及び変形例は、独立して又は組合せて用いてもよいことが明確に意図されている。すなわち、この種の特徴は、適切でない場合を除いて、すべての実施例、及び又はすべての実施例の特徴も、いかなる方法及び／又は組合せて組み込まれてよい。
【００４１】
以下で一例として挙げるに過ぎないが、添付の図面を参照して本発明の１つ以上の実施例について説明する。
【図面の簡単な説明】
【００４２】
【図１】走査電子顕微鏡の回動可能なステージの実施例の概略図である。
【図２】図１の回動可能なステージの上面図である。
【図３】図２の回転ステージの断面図である。
【発明を実施するための形態】
【００４３】
図１は、走査電子顕微鏡の回動可能なステージの実施例を示す。走査電子顕微鏡１０は、電子顕微鏡試料ステージ１４を収納する真空チャンバ１２を備える。
【００４４】
回動可能なステージは、回動可能なステージ（ステータ）１６の静的部分と、回動可能なステージ（ロータ）１８の回転部分と、その間の軸受２０とを備える。ロータ１８は、軸受２０を用いてステータ１６に取り付けられ、この軸受２０により、ステータ１６とロータ１８間で回転が可能となる。ロータ１８は断熱支持体（図示せず）を介して、電子顕微鏡試料ステージ１４に載置される顕微鏡ステージ回転モジュールに載置される。ステータ１６は、断熱支持体（図示せず）によって主電子顕微鏡試料ステージ１４に取り付けられる。
【００４５】
ステータ１６に熱的に接続された熱交換器は、ステータ１６の外周の外側に位置する冷却チューブ３２の形で設けられている。−１９６℃近くまで冷却される窒素ガスは、冷却チューブ３２を通過することによって、ステータを冷却する。
【００４６】
液体窒素ジュワー瓶２４に設置される第２の熱交換器２２を介して、冷却された窒素ガスが供給される。液体窒素は約−１９６℃近くまで冷却されており、その液体窒素に浸漬されている熱交換器を、暖かく乾燥した窒素ガス２６の流れが通過する。冷却された窒素ガス２８は、真空フィードスルー３０を介して、真空チャンバ１２及び冷却チューブ３２に入る。
【００４７】
軸受２０は、ステータとロータとを接続する高性能なサーマルリンクとして作用する。本実施例において、軸受は円形の銅の傾斜コイルバネである。
【００４８】
図２は更に詳細な回動可能なステージの平面図であり、ステータ１６及びロータ１８を示している。試料ホルダー３４は、ロータ１８上に示される。ステータ１６は、断熱ロケータ３６を介して電子顕微鏡試料ステージ１４に接続されている。冷却チューブ３２はステータ１６の外周の外側に示されており、冷却された窒素ガスがその周囲を循環できるので、ステータは冷却される。
【００４９】
図３は、図２の回動可能なステージの断面である。ロータ１８は、断熱材３８を介して顕微鏡ステージ回転モジュール１５に載置されている。ロータ１８は軸受２０を介してステータ１６に取り付けられ、この軸受２０は、円形の銅の傾斜コイルバネを備える。冷却チューブ３２は、ステータ１６外周の外側に示される。
【００５０】
別の実施例では、冷却チューブは冷却ブレードと置き換えてもよい。
【００５１】
システムの低温部分（例えば冷却チューブ３２及び試料ホルダー３４）は、高熱伝導性及び耐食性のために金付け銅で作製される。絶縁部分（例えば断熱ロケータ３６及び断熱材３８）は、セラミック及びＴｏｒｌｏｎ（登録商標）（高真空適合性ポリマー）で作製される。
【００５２】
冷却チューブ３２を介してガス流を変化させることによって設定された固定温度を維持するために、ステータの温度センサ（図示せず）が、フィードバックループで使用される。
【００５３】
一緒に使用すると簡単にぴったりと合う、ロータと、ステータと、軸受として、傾斜コイルバネを使用することは、組み立てを容易にする効果がある。
【００５４】
この構成を用いることにより、必要とされる−１６５℃より十分に低い、−１７５℃未満の試料温度が成し遂げられる。
【図１】
2021516441.tif 000003
【図２】
2021516441.tif 000004
【図３】
2021516441.tif 000005
【国際調査報告】
2021516441.tif 000006
2021516441.tif 000007